(57)【要約】【課題】  スパッタの影響と接合材の腐食の影響との双方を簡便な構造で抑制することができる技術を提供することである。【解決手段】  電子部材を内部に収容する収容部材であって、底部と、前記底部の周縁から上方に延びており、前記底部の前記周縁に沿って一巡している周壁部と、前記周壁部の上端開口を覆う蓋部と、前記周壁部の上面と前記蓋部の下面との対向部分の少なくとも一部に充填されて、前記周壁部と前記蓋部とを接合する接合材と、を備えてもよい。前記接合材の前記外側端部が前記外部に露出するあらゆる位置において、前記収容部材の水平断面を視たときに、前記周壁部は、前記接合材よりも前記収容部材の前記内部側に位置する内側部分を有しており、前記収容部材の鉛直断面を視たときに、前記周壁部の前記内側部分の少なくとも一部は、前記接合材よりも上側に位置していていてもよい。【選択図】  図２
2020064929.tif 000002
【特許請求の範囲】
【請求項１】
電子部材を内部に収容する収容部材であって、
底部と、
前記底部の周縁から上方に延びており、前記底部の前記周縁に沿って一巡している周壁部と、
前記周壁部の上端開口を覆う蓋部と、
前記周壁部の上面と前記蓋部の下面との対向部分の少なくとも一部に充填されて、前記周壁部と前記蓋部とを接合する接合材と、を備え、
前記周壁部の前記上面と前記蓋部の前記下面との間に充填されている前記接合材の外側端部が外部に露出する構成であって、
前記蓋部が水平となるように前記収容部材を配置した場合、
前記接合材の前記外側端部が前記外部に露出するあらゆる位置において、前記収容部材を水平方向に切断した水平断面を視たときに、前記周壁部は、前記接合材よりも前記収容部材の前記内部側に位置する内側部分を有しており、
前記収容部材を鉛直方向に切断した鉛直断面を視たときに、前記周壁部の前記内側部分の少なくとも一部は、前記接合材よりも上側に位置している、収容部材。
【請求項２】
請求項１に記載の収容部材であって、
前記収容部材の前記鉛直断面を視たときに、前記収容部材の前記内部側における前記接合材の内側端部の最下位置は、前記収容部材の前記外部側における前記接合材の前記外側端部の最上位置よりも上側に位置しており、
前記周壁部の前記接合材に接触する領域は、前記接合材の前記外側端部から前記内側端部に向かうにつれて上側に傾斜している、収容部材。
【請求項３】
請求項１に記載の収容部材であって、
前記収容部材の前記鉛直断面を視たときに、
前記周壁部の前記上面は、凹部又は凸部を備え、
前記蓋部の前記下面は、前記周壁部の前記上面の前記凹部又は前記凸部と嵌合する凸部又は凹部を備え、
前記接合材は、前記凸部と前記凹部との間の少なくとも一部に充填されている、収容部材。
【発明の詳細な説明】
【技術分野】
【０００１】
本明細書は、収容部材を開示する。
【背景技術】
【０００２】
特許文献１には、機能素子搭載基板が開示されている。機能素子搭載基板では、機能素子と導体層との間には、はんだが充填されている。機能素子搭載基板を垂直方向に切断した垂直断面を視ると、導体層は凹凸形状を有している。
【先行技術文献】
【特許文献】
【０００３】
【特許文献１】特開２０１０−２１２６４６号公報
【発明の概要】
【発明が解決しようとする課題】
【０００４】
接合材（例えば、はんだ）を用いて第１部材と第２部材とを接合する技術では、接合材のスパッタが発生することがあり、このスパッタが周囲の電子部材等に影響を与えることがある。また、第１部材と第２部材とが接合材によって接合された部材が液中や大気中に配置されると、液や大気に接触する接合材が腐食することがある。
【０００５】
本明細書では、スパッタの影響と接合材の腐食の影響との双方を簡便な構造で抑制することができる技術を提供する。
【課題を解決するための手段】
【０００６】
本明細書で開示される収容部材は、電子部材を内部に収容する収容部材であって、底部と、前記底部の周縁から上方に延びており、前記底部の前記周縁に沿って一巡している周壁部と、前記周壁部の上端開口を覆う蓋部と、前記周壁部の上面と前記蓋部の下面との対向部分の少なくとも一部に充填されて、前記周壁部と前記蓋部とを接合する接合材と、を備え、前記周壁部の前記上面と前記蓋部の前記下面との間に充填されている前記接合材の外側端部が外部に露出する構成であって、前記蓋部が水平となるように前記収容部材を配置した場合、前記接合材の前記外側端部が前記外部に露出するあらゆる位置において、前記収容部材を水平方向に切断した水平断面を視たときに、前記周壁部は、前記接合材よりも前記収容部材の前記内部側に位置する内側部分を有しており、前記収容部材を鉛直方向に切断した鉛直断面を視たときに、前記周壁部の前記内側部分の少なくとも一部は、前記接合材よりも上側に位置していてもよい。
【０００７】
この構成では、収容部材の鉛直断面を視たときに、周壁部の内側部分の少なくとも一部は、接合材よりも上側に位置している。このため、接合材よりも上側に位置する周壁部の内側部分によって、溶融した接合材のスパッタが収容部材の内部に侵入することを抑制することができる。この結果、収容部材に収容されている電子部材に対するスパッタの影響を抑制することができる。また、収容部材の水平断面を視たときに、周壁部の内側部分は、接合材よりも収容部材の内部側に位置している。このため、接合材の外側端部から接合材における収容部材の内部側の端部までの距離を長くすることができる。この結果、接合材が外部に露出する外側端部から腐食したとしても、腐食の進行が抑制される。これにより、接合材における収容部材の内部側の端部が完全に腐食するまでに要する時間を延ばすことができる。したがって、上記の構成によれば、収容部材に収容されている電子部材に対するスパッタの影響と接合材の腐食の影響を抑制することができる。
【０００８】
前記収容部材の前記鉛直断面を視たときに、前記収容部材の前記内部側における前記接合材の内側端部の最下位置は、前記収容部材の前記外部側における前記接合材の前記外側端部の最上位置よりも上側に位置しており、前記周壁部の前記接合材に接触する領域は、前記接合材の前記外側端部から前記内側端部に向かうにつれて上側に傾斜していてもよい。この構成では、溶融した接合材のスパッタは、周壁部の接合材に接触する領域に沿って収容部材の外部に向かう方向に移動する。このため、溶融した接合材のスパッタを収容部材の外部に排出することができる。
【０００９】
前記収容部材の前記鉛直断面を視たときに、前記周壁部の前記上面は、凹部又は凸部を備え、前記蓋部の前記下面は、前記周壁部の前記上面の前記凹部又は前記凸部と嵌合する凸部又は凹部を備え、前記接合材は、前記凸部と前記凹部との間の少なくとも一部に充填されていてもよい。この構成では、凸部と凹部とによって、接合材の外側端部から内側の端部までの距離をさらに長くすることができる。このため、接合材の内側の端部が完全に腐食するまでに要する時間をさらに延ばすことができる。
【図面の簡単な説明】
【００１０】
【図１】第１実施例の収容部材の断面図を示す。
【図２】図１の収容部材における蓋部と収容部との接合状態を示す。
【図３】図２のIII−III線における断面図を示す。
【図４】第２実施例の収容部材の蓋部と収容部との接合状態を示す。
【図５】図４のＶ−Ｖ線における断面図を示す。
【図６】第３実施例の収容部材における蓋部と収容部との接合状態を示す。
【図７】第４実施例の収容部材における蓋部と収容部との接合状態を示す。
【発明を実施するための形態】
【００１１】
（第１実施例）
図１から図３を参照して、第１実施例の収容部材１０を説明する。図１から図３は、接合後の収容部材１０を示している。図１に示すように、収容部材１０は、電子部材１２を収容する。なお、図１は、収容部材１０をｘｙ平面に平行な平面で切断した鉛直断面図を示す。ｘ方向を水平方向と規定し、ｙ方向を鉛直方向と規定する。収容部材１０は、オイル等の液中に配置される。なお、変形例では、収容部材１０は、大気中に配置されてもよい。収容部材１０は、水平方向に対して平行に、即ち、水平に配置されている。なお、変形例では、収容部材１０は、水平に配置されていなくてもよい。
【００１２】
収容部材１０は、収容部２０と、蓋部４０と、接合材５０と、を備える。収容部２０は、例えば金属材料から作製されている。
【００１３】
収容部２０は、底部２２と周壁部２４とを備える。底部２２は、平板形状を有する。底部２２の上面には、電子部材１２が載置される。底部２２は、水平方向に対して平行に、即ち、水平に配置されている。なお、変形例では、底部２２は、水平に配置されていなくてもよい。底部２２には、周壁部２４が連結されている。周壁部２４は、底部２２の上面（即ち電子部材１２が載置される面）の周縁全体から上方に向かって延びている。周壁部２４は、底部２２の上面の周縁上を一巡している。周壁部２４は、電子部材１２を囲む。周壁部２４の下端は、底部２２によって閉塞されている。周壁部２４の上端開口は開放されている。
【００１４】
図２に示すように、周壁部２４の上面２６と底部２２の上面２２ａとの上下方向の幅は、周壁部２４の上面２６の内側位置２６ａから外側位置２６ｂに向かうにつれて減少している。ｘ方向において、周壁部２４の上面２６の内側位置２６ａは、周壁部２４の内面に対応する位置であり、周壁部２４の上面２６の外側位置２６ｂは、周壁部２４の外面に対応する位置である。周壁部２４の上面２６は、周壁部２４の内側位置２６ａから外側位置２６ｂに向かって下側に傾斜している。周壁部２４の上面２６は、ｘ軸に対して、即ち、水平方向に対して傾斜している。ｙ方向において、周壁部２４の上面２６の内側位置２６ａは、周壁部２４の上面２６の外側位置２６ｂよりも上側に位置している。
【００１５】
図１に示すように、周壁部２４の上側には、蓋部４０が配置されている。蓋部４０は、例えば金属材料から作製されている。蓋部４０は、周壁部２４の上端開口を閉塞する。蓋部４０は、平板形状を有する。蓋部４０の下面４０ａの周縁部４２は、周壁部２４の上面２６と対向している。
【００１６】
図２に示すように、周縁部４２の厚み（即ち周縁部４２のｙ方向の幅）は、内側位置４２ａから外側位置４２ｃに向かうにつれて増加している。周縁部４２は、内側位置４２ａから外側位置４２ｃに向かって下側に傾斜している。周縁部４２は、ｘ軸に対して、即ち、水平方向に対して傾斜している。ｙ方向において、周縁部４２の内側位置４２ａは、外側位置４２ｃよりも上側に位置している。ｙ方向において、周縁部４２の外側位置４２ｃは、周壁部２４の上面２６の内側位置２６ａよりも下側に位置している。ｙ方向において、周縁部４２の内側位置４２ａとは、周壁部２４の上面２６の内側位置２６ａよりも上側に位置している。
【００１７】
図１に示すように、周壁部２４の上面２６と蓋部４０の下面４０ａの周縁部４２との対向部分の一部には、接合材５０が充填されている。接合材５０は、例えば、はんだや銀製の金属材料である。接合材５０は、加熱された後に冷却されることによって、周壁部２４の上面２６と蓋部４０の下面４０ａとを接合する。これにより、収容部材１０の内部に内部空間６０が画定される。接合材５０は、収容部材１０の外部と内部空間６０との連通を遮断する。これにより、収容部材１０の外部の液が収容部材１０の内部空間６０に侵入することを抑制することができる。
【００１８】
図２に示すように、接合材５０の外側端部５０ａは、ｘ方向において、周壁部２４の上面２６の外側位置２６ｂよりも収容部材１０の内部空間６０側に配置されている。接合材５０の外側端部５０ａは、収容部材１０の外部の液に露出している。また、接合材５０の外側端部５０ａは、ｘ方向において、蓋部４０の周縁部４２の外側位置４２ｃよりも収容部材１０の内部空間６０側に配置されている。
【００１９】
接合材５０の内側端部５０ｂは、ｘ方向において、周壁部２４の上面２６の内側位置２６ａよりも収容部材１０の外部側に配置されている。また、接合材５０の内側端部５０ｂは、ｘ方向において蓋部４０の周縁部４２の内側位置４２ａよりも収容部材１０の外部側に配置されている。以下では、接合材５０が接触している周壁部２４の上面２６上の領域を第１領域２８と呼び、接合材５０が接触している蓋部４０の周縁部４２上の領域を第２領域４４と呼ぶ。また、周壁部２４の上面２６において、第１領域２８よりも収容部材１０の内部空間６０側の領域を、内側部分２６ｃと呼ぶ。周壁部２４の上面２６の内側位置２６ａは、内側部分２６ｃの一部である。
【００２０】
図２に破線で示すように、接合材５０の内側端部５０ｂにおける最下位置は、接合材５０の外側端部５０ａにおける最上位置よりも上側に位置している。接合材５０の内側端部５０ｂにおける最上位置よりも上側には、周壁部２４の上面２６の内側位置２６ａが位置している。接合材５０は、周壁部２４の上面２６の第１領域２８に沿って配置されている。第１領域２８上の接合材５０は、接合材５０の外側端部５０ａから内側端部５０ｂに向かうにつれて上側に傾斜している。第２領域４４上の接合材５０は、接合材５０の外側端部５０ａから内側端部５０ｂに向かうにつれて上側に傾斜している。
【００２１】
次に、図３を参照して、周壁部２４と蓋部４０と接合材５０との位置関係を説明する。図３は、収容部材１０をｘｙ平面に対して（即ち鉛直断面に対して）垂直な方向に切断した水平断面を示す。水平断面は、接合材５０の外側端部５０ａの最上位置を通る。蓋部４０は、収容部材１０の最も外部側に位置している。蓋部４０よりも収容部材１０の内部空間６０側には、接合材５０が位置している。接合材５０よりも収容部材１０の内部空間６０側には、周壁部２４の内側部分２６ｃが位置している。周壁部２４の内側部分２６ｃは、収容部材１０の最も内部空間６０側に位置している。周壁部２４の内側部分２６ｃと蓋部４０との間には、接合材５０が位置している。また、図示省略するが、接合材５０の外側端部５０ａのｙ方向のあらゆる位置（即ち接合材５０の外側端部５０ａの最上位置と最下位置との間のあらゆる位置）において収容部材１０の水平断面を視ても、周壁部２４の内側部分２６ｃは、接合材５０よりも、内部空間６０側に位置している。
【００２２】
（効果）
図２に示すように、収容部材１０をｘｙ平面に平行な平面で切断した鉛直断面図において、周壁部２４の内側部分２６ｃの一部である内側位置２６ａは、接合材５０の内側端部５０ｂにおける最下位置よりも上側に位置している。このため、接合材５０を用いて周壁部２４と蓋部４０とを接合するために接合材５０を加熱しても、溶融した接合材５０のスパッタが収容部材１０の内部空間６０に侵入することを抑制することができる。また、図３に示すように、収容部材１０をｘｙ平面に対して（即ち鉛直断面に対して）垂直な方向に切断した水平断面図において、接合材５０よりも収容部材１０の内部空間６０側には、周壁部２４の内側部分２６ｃが位置している。このため、接合材５０の外側端部５０ａから内側端部５０ｂまでの距離を長くすることができる。この結果、接合材５０が液に露出する外側端部５０ａから腐食しても、腐食の進行が抑制される。この結果、接合材５０の内側端部５０ｂが完全に腐食するまでに要する時間を延ばすことができる。
【００２３】
また、図２に示すように、収容部材１０の鉛直断面図において、接合材５０の内側端部５０ｂにおける最下位置は、接合材５０の外側端部５０ａにおける最上位置よりも上側に位置している。接合材５０は、周壁部２４の上面２６の第１領域２８に沿って配置されており、第１領域２８上の接合材５０は、接合材５０の外側端部５０ａから内側端部５０ｂに向かうにつれて上側に傾斜している。このため、接合材５０を用いて周壁部２４と蓋部４０とを接合するために接合材５０を加熱すると、溶融した接合材５０のスパッタは、周壁部２４の第１領域２８に沿って収容部材１０の外部に向かう方向に移動する。この結果、溶融した接合材５０のスパッタを、収容部材１０の外部に排出することができる。
【００２４】
（第２実施例）
次に、図４及び図５を参照して、第２実施例を説明する。第２実施例では、第１実施例と異なる点を説明し、第１実施例と同様の点については同様の符号を付して説明を省略する。図４及び図５では、周壁部１２４と蓋部１４０とが接合材５０によって接合されている。図４に示すように、周壁部１２４の上面１２６は、凸部１３０、１３２を備える。凸部１３０、１３２は、蓋部１４０の周縁部１４２に向かって（即ち上側に向かって）垂直に突出している。凸部１３０、１３２の幅、即ち、凸部１３０の収容部材１０の内部空間６０側から外部側に向かう方向における幅は、上下方向に一定である。凸部１３２の幅は、凸部１３０の幅と同一である。
【００２５】
凸部１３２は、周壁部１２４の上面１２６の内側位置１２６ａに配置されている。凸部１３２は、周壁部１２４の上面１２６上を一巡している。凸部１３０は、周壁部１２４の上面１２６の内側位置１２６ａと外側位置１２６ｂとの間に配置されている。凸部１３０は、凸部１３２よりも周壁部１２４の上面１２６の外側位置１２６ｂ側に配置されている。凸部１３０と凸部１３２とは、間隔を有して配置されている。凸部１３０は、周壁部１２４の上面１２６上を一巡している。凸部１３０は、凸部１３２を囲む。
【００２６】
蓋部１４０の下面１４０ａの周縁部１４２は、凸部１４６、１４８を備える。凸部１４６、１４８は、周壁部１２４の上面１２６に向かって垂直に突出している。凸部１４６、１４８の幅は、即ち、凸部１４６の収容部材１０の内部空間６０側から外部側に向かう方向における幅は、上下方向に一定である。凸部１４８の幅は、凸部１４６の幅よりも小さい。
【００２７】
凸部１４６は、蓋部１４０の周縁部１４２の外側位置１４２ｃに配置されている。凸部１４６は、蓋部１４０の周縁部１４２上を一巡している。凸部１４８は、蓋部１４０の周縁部１４２の外側位置１４２ｃと内側位置１４２ａとの間に配置されている。凸部１４８は、凸部１４６よりも蓋部１４０の周縁部１４２の内側位置１４２ａ側に配置されている。凸部１４６と凸部１４８とは、間隔を有して配置されている。凸部１４８は、蓋部１４０の周縁部１４２上を一巡している。凸部１４８は、凸部１４６によって囲まれている。
【００２８】
凸部１４６と凸部１４８との間には、凹部１５０が形成されている。また、凸部１４８よりも蓋部１４０の周縁部１４２の内側位置１４２ａ側には、凹部１５２が形成されている。凹部１５０、１５２の幅は、上下方向に一定である。凹部１５０の幅は、凹部１５２の幅よりも大きい。凹部１５０、１５２は、蓋部１４０の周縁部１４２上を一巡している。
【００２９】
図４に破線で示すように、ｙ方向において、凹部１５０は、周壁部１２４の上面１２６の凸部１３０の上側に配置されている。ｙ方向において、凹部１５０の下端（即ち、凸部１４６、１４８の先端）よりも上側には、凸部１３０の上端が位置している。凹部１５０は、凹部１５０に向かって突出する凸部１３０を受け入れ、凸部１３０と嵌合している。ｙ方向において、凹部１５２は、周壁部１２４の上面１２６の凸部１３２の上側に配置されている。ｙ方向において、凹部１５２の下端（即ち、凸部１４８の先端）よりも上側には、凸部１３２の上端が位置している。凹部１５２は、凹部１５２に向かって突出する凸部１３２を受け入れ、凸部１３２と嵌合している。
【００３０】
接合材５０は、凸部１３２よりも収容部材１０の外部側に配置されている。凸部１３２の上端は、接合材５０の内側端部５０ｂよりも上側に位置している。周壁部１２４の内側部分１２６ｃの一部である内側位置１２６ａは、接合材５０の内側端部５０ｂよりも上側に位置している。接合材５０は、凸部１３０と凹部１５０との間に充填されている。接合材５０は、凸部１３２と凹部１５２との間の一部に充填されている。
【００３１】
次に、図５を参照して、周壁部１２４と蓋部１４０と接合材５０との位置関係を説明する。図５は、収容部材１０をｘｙ平面に対して（即ち鉛直断面に対して）垂直な方向に切断した水平断面を示す。水平断面は、接合材５０の外側端部５０ａの最上位置を通る。図５に示すように、蓋部１４０は、収容部材１０の最も外部側に位置している。蓋部１４０よりも収容部材１０の内部空間６０側には、内部空間６０側に向かって、接合材５０、周壁部１２４、接合材５０、蓋部１４０、接合材５０、及び周壁部１２４の内側部分１２６ｃの順に並んでいる。周壁部１２４の内側部分１２６ｃは、収容部材１０の最も内部空間６０側に位置している。周壁部１２４の内側部分１２６ｃは、収容部材１０の最も内部空間６０側に位置している接合材５０よりも、内部空間６０側に位置している。また、図示省略するが、接合材５０の外側端部５０ａのｙ方向のあらゆる位置において収容部材１０の水平断面を視ても、周壁部１２４の内側部分１２６ｃは、収容部材１０の最も内部空間６０側に位置している接合材５０よりも、内部空間６０側に位置している。
【００３２】
（効果）
図４に示すように、収容部材１０をｘｙ平面に平行な平面で切断した鉛直断面図において、凸部１３２は、周壁部１２４の上面１２６から蓋部１４０の周縁部１４２に向かって突出している。ｙ方向において、蓋部１４０の周縁部１４２上の凹部１５２の下端（即ち、凸部１４８の下端）よりも上側には、凸部１３２の上端が位置しており、凹部１５２は、凸部１３２と嵌合している。凸部１３２の上端は、接合材５０の内側端部５０ｂよりも上側に位置しており、接合材５０は、凸部１３２と凹部１５２との間の一部に充填されている。このため、接合材５０の外側端部５０ａから内側端部５０ｂまでの距離をさらに長くすることができる。この結果、接合材５０の内側端部５０ｂが完全に腐食するまでに要する時間をさらに延ばすことができる。また、周壁部１２４の内側部分１２６ｃの一部である内側位置１２６ａは、接合材５０の内側端部５０ｂよりも上側に位置している。このため、接合材５０を用いて周壁部１２４と蓋部１４０とを接合するために接合材５０を加熱しても、溶融した接合材５０のスパッタが収容部材１０の内部空間６０に侵入することを抑制することができる。
【００３３】
（第３実施例）
次に、図６を参照して、第３実施例を説明する。第３実施例では、第２実施例と異なる点を説明し、第２実施例と同様の点については同様の符号を付して説明を省略する。図６では、周壁部１２４と蓋部１４０とが接合材５０によって接合されている。図６に示すように、凸部１３０、１３２の幅が、蓋部１４０の下面１４０ａに向かうにつれて徐々に減少している。また、凸部１４６、１４８の幅が、周壁部１２４の上面１２６に向かうにつれて徐々に減少している。また、凹部１５０、１５２の幅が、周壁部１２４の上面１２６に向かうにつれて徐々に増加している。
【００３４】
（効果）
上記の構成によれば、周壁部１２４に対する蓋部１４０の位置を容易に決定することができる。また、第２実施例と同様に、接合材５０の内側端部５０ｂが完全に腐食するまでに要する時間をさらに延ばすことができ、溶融した接合材５０のスパッタが収容部材１０の内部空間６０に侵入することを抑制することができる。
【００３５】
（第４実施例）
次に、図７を参照して、第４実施例を説明する。第４実施例では、第２実施例と異なる点を説明し、第２実施例と同様の点については同様の符号を付して説明を省略する。図７では、周壁部１２４と蓋部１４０とが接合材５０によって接合されている。図７に示すように、凸部１３０、１３２の幅が、蓋部１４０の下面１４０ａに向かうにつれて減少している。凸部１３０と周壁部１２４の上面１２６の外側位置１２６ｂとの間には、第１凹部１３６が形成されている。また、凸部１３０と凸部１３２との間には、第１凹部１３８が形成されている。第１凹部１３６、１３８の幅は、蓋部１４０の下面１４０ａに向かうにつれて増加している。図７において、第１凹部１３６、１３８は、半円形状を有する。
【００３６】
凸部１４６、１４８の幅は、周壁部１２４の上面１２６に向かうにつれて減少している。凸部１４６は、蓋部１４０の周縁部１４２の外側位置１４２ｃよりも収容部材１０の内部空間６０側に配置されている。凸部１４８は、凸部１４６と蓋部１４０の周縁部１４２の内側位置１４２ａとの間に配置されている。図７において、凸部１４６、１４８は、半円形状を有する。凸部１４６は、第１凹部１３６と嵌合しており、凸部１４８は、第１凹部１３８と嵌合している。
【００３７】
蓋部１４０は、第２凹部１５６、１５８をさらに備える。第２凹部１５６、１５８は、蓋部１４０の上面に配置されている。第２凹部１５６は、凸部１４６の上側に配置されている。第２凹部１５８は、凸部１４６の上側に配置されている。第２凹部１５６、１５８は、蓋部１４０の上面から内側に向かって凹んでいる。図７において、第２凹部１５６、１５８は、半円形状を有する。
【００３８】
凸部１３２の上端は、接合材５０の内側端部５０ｂよりも上側に位置している。周壁部１２４の内側部分１２６ｃの一部である内側位置１２６ａは、接合材５０の内側端部５０ｂよりも上側に位置している。接合材５０は、凸部１４６と第１凹部１３６との間に充填されている。接合材５０は、凸部１４８と第１凹部１３８との間の一部に充填されている。
【００３９】
（効果）
凸部１４６、１４８の幅は、周壁部１２４の上面１２６に向かうにつれて減少している。また、第１凹部１３６、１３８の幅は、蓋部１４０の下面１４０ａに向かうにつれて増加している。このため、周壁部１２４に対する蓋部１４０の位置を容易に決定することができる。また、第２実施例と同様に、接合材５０の内側端部５０ｂが完全に腐食するまでに要する時間をさらに延ばすことができ、溶融した接合材５０のスパッタが収容部材１０の内部空間６０に侵入することを抑制することができる。
【００４０】
（対応関係）
第１凹部１３６、１３８は、「凹部」の一例である。
【００４１】
以上、本発明の具体例を詳細に説明したが、これらは例示に過ぎず、特許請求の範囲を限定するものではない。特許請求の範囲に記載の技術には、以上に例示した具体例を様々に変形、変更したものが含まれる。
【００４２】
（１）上記の第１実施例では、周壁部２４の上面２６の全面が、周壁部２４の内側位置２６ａから外側位置２６ｂに向かう方向において、下側に傾斜している。しかしながら、周壁部２４の上面２６の一部が、周壁部２４の内側位置２６ａから外側位置２６ｂに向かう方向において、下側に傾斜していてもよい。
【００４３】
（２）周壁部１２４の上面１２６上の凸部１３０、１３２の数、及び、蓋部１４０の凹部１５０、１５２の数は特に限定されるものではない。
【００４４】
（３）図３では、接合材５０の外側端部５０ａの最上位置を通る水平断面について説明したが、この構成に限定されるものではない。接合材５０の外側端部５０ａのいずれかの位置を通る水平断面であっても同様の構成となる。具体的には、接合材５０の外側端部５０ａが外部に露出する位置において、収容部材１０の水平断面図を視たときに、周壁部２４の一部が、接合材５０よりも収容部材１０の内部空間６０側に位置する。
【００４５】
（４）上記の実施例では、電子部材１２は、底部２２に載置されている。しかしながら、電子部材１２は、収容部材１０の内部空間６０に配置されていればよい。例えば、電子部材１２は、蓋部４０、１４０に載置されていてもよい。
【００４６】
また、本明細書又は図面に説明した技術要素は、単独であるいは各種の組合せによって技術的有用性を発揮するものであり、出願時請求項記載の組合せに限定されるものではない。また、本明細書又は図面に例示した技術は複数目的を同時に達成し得るものであり、そのうちの一つの目的を達成すること自体で技術的有用性を持つものである。
【符号の説明】
【００４７】
１０      ：収容部材
１２      ：電子部材
２０      ：収容部
２２      ：底部
２４、１２４：周壁部
２６、１２６：上面
２６ｃ、１２６ｃ：内側部分
２８      ：第１領域
４０、１４０：蓋部
４０ａ、１４０ａ：下面
４２、１４２：周縁部
４４      ：第２領域
５０      ：接合材
５０ａ    ：外側端部
５０ｂ    ：内側端部
６０      ：内部空間
１３０、１３２、１４６、１４８：凸部
１３６、１３８、１５０、１５２：凹部
【図１】
2020064929.tif 000003
【図２】
2020064929.tif 000004
【図３】
2020064929.tif 000005
【図４】
2020064929.tif 000006
【図５】
2020064929.tif 000007
【図６】
2020064929.tif 000008
【図７】
2020064929.tif 000009